(57)【要約】【課題】音声及び画像を記録でき且つ使用態様に拘わり無く撮影時のカメラの画角設定が的確に出来る記録装置を提供する。【解決手段】演台３１を前にし説明用ボード３２を背にした講演者３３に対して、最前列の聴講者席の机３４の上に記録装置１が載置される。記録装置１の図外の使用者は記録装置１の本体部２のタッチ式入力装置７をタッチ操作しやすい位置に座を占めており、タッチ操作により記録装置１の記録モードが予め記録／撮影モードに設定されている。記録装置１の回動体部６は本体部２から適宜の角度に引き起こされており、撮像部４は回転されて中央部にある撮影レンズ窓が講演者３３及び説明用ボード３２に向けられている。この状態で記録装置１により講演者３３の音声と映像が記録される。使用者は講演の終了後、記録音声を全面スピーカ８により再生して聞きながら映像をＬＣＤ９に表示して再現する。【選択図】      図７
2006270654.tif 000002
【特許請求の範囲】
【請求項１】
音声記録部及び画像記録部を内蔵する本体部と、
被写体像を撮影し、撮影された画像信号を前記画像記録部へ出力する撮像部と、
前記本体部に回動可能に支持されるとともに、前記撮像部を回転可能に支持する回動体部と、
を備えたことを特徴とする記録装置。
【請求項２】
前記回動体部は、その回動軸を前記本体部により該本体部の底面に平行に支持され、且つ前記撮像部の回転軸を前記本体部に対する前記回動軸と平行に支持する、ことを特徴とする請求項１記載の記録装置。
【請求項３】
前記本体部は、前記回動体部が回動始点にあるときの前記撮像部を収納する収納部を有する、ことを特徴とする請求項１記載の記録装置。
【請求項４】
前記撮像部は、該撮像部に設けられるレンズ窓部が外見から隠される状態で、前記収納
部に収納される、ことを特徴とする請求項３記載の記録装置。
【請求項５】
前記収納部は、前記本体部の上面に形成された凹部分である、ことを特徴とする請求項３記載の記録装置。
【請求項６】
前記回動体部は、前記本体部の端部近傍に回動可能に支持される、ことを特徴とする請求項１乃至５のいずれかに記載の記録装置。
【請求項７】
前記回動体部は、前記本体部の両側面に対で配置されるアームを有する、ことを特徴とする請求項１乃至５のいずれかに記載の記録装置。
【請求項８】
前記回動体部は、前記本体部への回動位置に応じて、撮影に係る部位への通電の開始又は終了を指示する、ことを特徴とする請求項１記載の記録装置。
【請求項９】
前記回動体部は、前記回動始点への移動により撮影モードオフを指示する、ことを特徴とする請求項１記載の記録装置。
【請求項１０】
音声記録部及び画像記録部を内蔵する本体部と、
被写体像を撮影し、撮影された画像信号を前記画像記録部へ出力する撮像部と、
一端が前記本体部に回動自在に取り付けられるとともに、他端に前記撮像部を回転可能に設けて、前記本体部に密着する収納位置から前記本体部より起立位置方向へ前記撮像部を移動させる回動体部と、
を備えることを特徴とする記録装置。
【発明の詳細な説明】
【技術分野】
【０００１】
本発明は、被写体をカメラで撮像し且つ被写体の音声を記録する記録装置に関する。
【背景技術】
【０００２】
近年、会議やメモの音声記録用として、固体メモリ、例えばフラッシュメモリを内蔵したメモリカードを記録媒体として使用する音声記録装置が普及している。
また、画像データもデジタルデータとして、音声データと同様に取り扱いが出来ることから、音声記録装置にカメラと画像処理部を内蔵し、音声とともに画像も記録できるカメラ付き音声記録装置も商品化されている。
【０００３】
例えば、カメラ部を装置本体の上面に固定的に設置し、音声とともに画像が記録されるようにして、再生時に口述者と口述者の口述内容を容易に確認することができるようにしたカメラ付きのデータ記録再生装置が提案されている。（例えば、特許文献１参照。）
また、装置上部にカメラ部をチルト方向に回動可能に設けて、カメラの角度を変えられるようにした装置も提案されている。（例えば、特許文献２参照。）
【特許文献１】特開２００２−０６４７８３号公報
【特許文献２】特開２００３−２３０１００号公報
【発明の開示】
【発明が解決しようとする課題】
【０００４】
ところで、通常、デジタルカメラやムービーカメラの使用態様は、撮影者がカメラを持って、撮影の都度カメラを被写体に向けて手で構えて撮影するスタイルである。音声の同時録音を行う場合も同様である。
【０００５】
したがって、特許文献１のカメラ付きデータ記録再生装置は、上記の使用態様に良く馴染む装置である。しかし、手に持って操作しながら使用するという使用態様に限定され、それ以外の使用態様、例えば机上においたまま任意の被写体を撮影することはできない。
【０００６】
これに対して特許文献２のような装置であれば、記録時に付属のスタンドを使って机に置いて使用することができるから、手に持たずとも使用でき、より便利であるといえる。
しかしながら、スタンドを使って机に置いた状態は、安定性にやや欠けるきらいがあり、また、装置を立てた状態では、記録の切替等の換作を行う場合、両手を用いないと操作しにくいという設置態様であるから、必ずしも操作が容易であるとは言いがたい点に問題がある。
【０００７】
また、専ら音声を主に記録する音声レコーダでは、例えばメディアの記者が取材するときのように音声レコーダを手に持って録音するスタイルだけでなく、音声レコーダを机に載せたり、胸ポケットに入れたりして録音するスタイルも、広く使われる。特に会議や講演会では、記録装置は机等に載せた状態で、音声記録が行なわれるのが普通である。
【０００８】
ところが、上記特許文献１又は２のいずれの装置も、手に持ったり、ポケットに入れたり、机上に置いたりというように、様々な態様で使用できるような構成になっていない。これでは、折角、画像と音声の記録を同時に行うことができるといっても未だまだ不満の残るものであった。
【０００９】
本発明の課題は、上記従来の実情に鑑み、音声及び画像を記録でき且つ使用態様に応じて撮影時のカメラの画角設定が的確に出来る記録装置を提供することである。
【課題を解決するための手段】
【００１０】
以下に、本発明に係わる記録装置の構成を述べる。
先ず、第１の発明の記録装置は、音声記録部及び画像記録部を内蔵する本体部と、被写体像を撮影し、撮影された画像信号を上記画像記録部へ出力する撮像部と、上記本体部に回動可能に支持されるとともに、上記撮像部を回転可能に支持する回動体部と、を備えて構成される。
【００１１】
上記回動体部は、例えば、その回動軸を上記本体部により該本体部の底面に平行に支持され、且つ上記撮像部の回転軸を上記本体部に対する上記回動軸と平行に支持するように構成される。
【００１２】
また、上記本体部は、例えば、上記回動体部が回動始点にあるときの上記撮像部を収納する収納部を有するように構成される。この場合、上記撮像部は、例えば、該撮像部に設けられるレンズ窓部が外見から隠される状態で、上記収納部に収納されるように構成される。また、上記収納部は、例えば、上記本体部の上面に形成された凹部分であるように構成される。
【００１３】
この記録装置において、上記回動体部は、例えば、上記本体部の端部近傍に回動可能に支持されるように構成され、また、例えば、上記本体部の両側面に対で配置されるアームを有するように構成され、また、例えば、上記本体部への回動位置に応じて、上記撮像記録部への制御開始又は終了を指示するように構成され、また、例えば、上記回動始点への移動により上記撮像記録部に撮影モード終了を指示するように構成される。
【００１４】
次に、第２の発明の記録装置は、音声記録部及び画像記録部を内蔵する本体部と、被写体像を撮影し、撮影された画像信号を上記画像記録部へ出力する撮像部と、一端が上記本体部に回動自在に取り付けられるとともに、他端に上記撮像部を回転可能に設けて、上記本体部に密着する収納位置から上記本体部より起立位置方向へ上記撮像部を移動させる回動体部と、を備えて構成される。
【発明の効果】
【００１５】
本発明によれば、音声及び画像を記録でき且つ使用態様に応じて撮影時のカメラの画角設定が的確に出来る記録装置を提供することが可能となる。
【発明を実施するための最良の形態】
【００１６】
以下、本発明の実施の形態を図面を参照しながら説明する。
【実施例１】
【００１７】
図１は、実施例１における記録装置１の外観構成を示す図である。図１は下中央に平面図を示し、その平面図の左右と上に、それぞれの方向から平面図の記録装置１を見た側面図を示し、最上部に平面図のＡ−Ａ′断面矢視図を示している。
【００１８】
図１に示すように、記録装置１は、詳しくは後述する音声記録部と画像記録部を備えた本体部２と、この本体部２に回動軸３により回動可能に支持されるとともに、撮像部４を回転軸５により回転可能に支持する回動体部６とで構成されている。
【００１９】
回動体部６は、その回動軸３を本体部２により本体部２の底面に平行に支持され、且つ撮像部４の回動軸５を本体部２に対する自己の回動軸３と平行に支持している。図１は、回動体部６が回動始点にある状態を示している。
【００２０】
記録装置１の本体部２は、上面の図の左方半面に、記録装置１を机上に置いたまま操作が可能な円形のタッチ式入力装置７が配置されている。そして、その周囲はスピーカ領域となっており、パンチングメタルから成る全面スピーカ８で形成されている。
【００２１】
また、記録装置１の本体部２は、その上面の図の右方半面には、そのほぼ全面を占めるＬＣＤ（liquid crystal display：液晶表示装置）９が配置されている。そして、本体部２の右端部側面にはマイク１１が設けられている。
【００２２】
また、回動体部６に支持される円筒状の撮像部４には、円周方向にほぼ１／４を占める撮影レンズ窓１２が設けられている。この撮影レンズ窓１２は平面図では隠れた位置にある。
【００２３】
図２は、記録装置１の回動体部６の回動状態を示す図である。図２は下に、回動体部６をほぼ終点まで回動した状態の平面図を示し、中央に、その側面図を示し、上に、回動体部６が直立位置に回動している状態を示している。
【００２４】
回動体部６は、図２の下に示すように、本体部２の両側面に対で配置されており、扁平な棒状のアームを有する。この回動体部６は図２の中央に両方向矢印ａで示すような方向でほぼ１８０度回動可能に設けられている。
【００２５】
この回動移動の途中においては、図２の上に示す直立位置も含めて、例えばボールラッチ機構などによる３箇所の停止位置が設定されている。もちろん、停止位置は３箇所と限ることなく、４箇所以上としてもよい。その場合は、ボールラッチ機構のボール受け側に、停止位置に応じた数のボール溝を設けるとよい。
【００２６】
図２の下に示すように、回動体部６に回転自在に支持される撮像部４には、図１に示した撮影レンズ窓１２内に、カメラの対物レンズ１３とフラッシュ用ＬＥＤ（light emitting diode）１４が設けられている。
【００２７】
そして、本体部２の上面中央には、図２に示すように、凹状収納部１５が形成されている。凹状収納部１５は、回動体部６が、図１に示したように回動始点にあるとき、回動体部６に回転可能に支持されている撮像部４を収納する。
【００２８】
撮像部４は、凹状収納部１５に収納される際には、撮像部４に設けられている撮影レンズ窓１２が外見から隠される状態で、凹状収納部１５に収納される。
図３は、上記記録装置１の内部システムブロック図である。図３に示すように、撮像部４は、図２に示したレンズ１３及びＬＥＤ１４に加えて、更に撮像素子１６及び映像回路部１７を備えている。
【００２９】
記録装置１の本体部２は、装置各部を制御するＣＰＵ(central processing unit）１８と、このＣＰＵ１８にバス１９を介して接続された画像記録部２１、音声記録部２２、図１に示したＬＣＤ９、及び着脱メモリ２３を備えている。音声記録部２２には、図１に示したマイク１１が接続されている。
【００３０】
また、ＣＰＵ１８には、アームセンサ２４、図１に示したタッチ式入力装置７、及び電源部２５が接続され、更に撮像部４のＬＥＤ１４が接続されている。
電源部２５は、使用者による電源スイッチのオン入力に基づいて、内蔵の電池からのＤＣ出力を所定の電圧に変換して、その電力をＣＰＵ１８を初めとして各部に供給する。ＣＰＵ１８は、電源電力の供給開始を認識して各部の制御を開始する。
【００３１】
アームセンサ２４は、回動体部６の回動位置を検出してＣＰＵ１８に通知する。ＣＰＵ１８は、アームセンサ２４から通知される回動体部６の回動状態を認識して、撮像部４の電源をオン／オフする。
【００３２】
タッチ式入力装置７は、表示装置とタッチ入力用透明電極とを重ね合わせて形成されている。使用者が表示装置に表示される所望の機能表示部分をタッチ操作することにより、タッチ式入力装置７は、タッチ入力位置の座標データをＣＰＵ１８に通知する。
【００３３】
ＣＰＵ１８は、タッチ式入力装置７から通知される座標データに基づいて使用者が選択し入力した機能を認識し、その認識した機能に基づく制御を実行する。
画像記録部２１には撮像部４の映像回路部１７から撮像画像データが入力される。画像記録部２１は、映像回路部１７から入力される撮像画像データの画像をＬＣＤ９に表示し、その撮像画像データを着脱メモリ２３に記録する。
【００３４】
音声記録部２２は、マイク１１から入力される音声データを着脱メモリ２３に記録する。
撮像部４の撮像素子１６は、レンズ１３を通して撮像面に結像される映像をアナログ電気信号に変換して映像回路部１７に出力する。映像回路部１７は、撮像素子１６から入力するアナログ電気信号をデジタル画像信号に変換して画像記録部２１に出力する。
【００３５】
ＬＥＤ１４は、ＣＰＵ１８からの駆動制御に基づいてストロボ光を発行する。
図４は、記録装置１の使用態様の一例を示す図である。図４に示すように、記録装置１はテーブル２６の上に置かれている。記録装置１の使用者２７は、テーブル２６の傍の記録装置１の本体部２のタッチ式入力装置７（図１及び図２参照）をタッチ操作しやすい位置に座を占めている。
【００３６】
記録装置１の回動体部６は適宜の角度に引き起こされており、撮像部４は回転されて図２に示した撮影レンズ窓１２が、説明者２８及び説明用ボード２９の方向に向けられている。
【００３７】
また、使用者２７により記録装置１のタッチ式入力装置７がタッチ操作されて、記録装置１の記録モードが予め記録／撮影モードに設定されている。
これにより、使用者２７は、記録装置１をテーブル２６の上に置いたままで、記録装置１により説明者２８の音声を記録すると共に、その映像を記録することができる。
【００３８】
また、使用者２７は、説明者２８との対談を終了した後では、記録装置１のタッチ式入力装置７の表示装置に表示されている記録モード機能の「再生」をタッチ入力することにより、記録されている音声を全面スピーカ８により再生して聞きながら、その音声に係わる説明者２８の映像を、ＬＣＤ９に表示して再現することができる。
【００３９】
図５は、上記のような記録装置１の使用態様において、ＣＰＵ１８により実行される制御処理のメインフローチャートである。
図６において、ＣＰＵ１８は、先ず、電源がオンかオフの判別で（Ｓ１）、電源がオンとなるまでの待機状態において（Ｓ１がＯＦＦ）、電源がオンとなると（Ｓ１がＯＮ）、続いて、使用者２７によって記録モードが選択されているか否かを判別する（Ｓ２）。
【００４０】
そして、記録モードが選択されていないときは（Ｓ２がＮ）、ＣＰＵ１８は、再生処理を行う（Ｓ３）。この処理は、記録されている音声を全面スピーカ８により再生し、その音声に係わる説明者２８の映像をＬＣＤ９に表示して再生する処理である。
【００４１】
他方、処理Ｓ２の記録モードの判別で、記録モードが選択されていれば（Ｓ２がＹ）、ＣＰＵ１８は、後述する録音／撮影の処理を行う（Ｓ４）。
図６は、上記録音／撮影の処理を詳しく示すフローチャートである。ＣＰＵ１８は、先ず、タッチ式入力装置７の録音スタートボタンが押されているか否かを判別する（Ｓ４１）。
【００４２】
そして、録音スタートボタンが押されていれば（Ｓ４１がＹ）、ＣＰＵ１８は、マイク１１を駆動して説明者２８の音声を取り込み、音声記録部２１を駆動して上記取り込んだ音声を音声データとして着脱メモリ２３に記録を開始する（Ｓ４２）。
【００４３】
そして、ＣＰＵ１８は、タッチ式入力装置７の録音ストップボタンが押されているか否かを判別し（Ｓ４３）、録音ストップボタンが押されていないときは（Ｓ４３がＮ）、続いてアームが起立しているか否かを判別する（Ｓ４５）。尚、音声記録はアームの位置に無関係に行われる。
【００４４】
この処理は、回動体部６の撮像部４が、本体部２の凹状収納部１５に収容されている状態から離脱して、回動体部６が図２の上に示すように直立位置方向に回動しているか否かを判別する処理である。また、この判別は、アームセンサ２４からの出力により判別される。
【００４５】
尚、上記処理４３の録音ストップの判別で、タッチ式入力装置７の録音ストップボタンが押されているときは（Ｓ４３がＹ）、ＣＰＵ１８は、マイク１１及び音声記録部２１の駆動を停止して着脱メモリ２３への音声データの記録を停止してから（Ｓ４４）、上記処理Ｓ４５のアーム起立の判別処理に移行する。
【００４６】
また、上記処理Ｓ４１の判別で、録音スタートボタンが押されていないときは（Ｓ４１がＮ）、ＣＰＵ１８は、直ちに上記処理Ｓ４５のアーム起立の判別処理に移行する。
そして、ＣＰＵ１８は、回動体部６が回動していると判別したときは（Ｓ４５がＹ）、撮影ブロックの電源をオンにする（Ｓ４６）。ここで撮影ブロックは、撮影に係る部位として、撮像素子１６、映像回路部１７、画像記録部２１のいずれか又は全ての組み合わせとする。これにより、撮像部４による撮影の準備が整う。
【００４７】
続いて、ＣＰＵ１８は、タッチ式入力装置７の撮影指示ボタンが押されているか否かを判別する（Ｓ４７）。そして、静止画撮影モードであれば、撮影指示ボタンが押されれば（Ｓ４８がＹ）、映像回路部１７、及び画像記録部２１を駆動制御して、撮像素子１６により撮像された１枚の画像データを着脱メモリ２３に記録して（Ｓ４８）、図５の処理に戻る。また、動画モードであれば、別途停止指示があるまで連続して動画データを記録し続ける。
【００４８】
また、上記処理Ｓ４７の判別で、撮影指示ボタンが押されていないときは（Ｓ４７がＮ）、直ちに図５の処理に戻る。
また、上記処理４５の判別で、回動体部６が回動していないときは（Ｓ４５がＮ）、ＣＰＵ１８は、撮影ブロックの電源をオフにして（Ｓ４９）、図５の処理に戻る。
【００４９】
このように、回動体部６が回動始点にあるときは、撮影ブロックの電源は常にオフとなり、回動体部６を回動始点から直立位置方向に回動させると、撮影ブロックの電源が自動的に入って撮影体勢が自動的に整うようになっている。また、Ｓ４６を撮影モードオン、Ｓ４９を撮影モードオフにして、アーム位置に応じて撮影モードのオンオフを制御するようにしてもよい。
【００５０】
そして、使用者２７は、記録装置１をテーブル２６の上においたまま、片手の指で、タッチ式入力装置７に表示されている所望の入力ボタンをタッチすることによって、音声の記録及び撮影画像の記録の指示及びその停止の指示を行うことができる。
【００５１】
図７は、記録装置１の他の使用態様の例を示す図である。図７は、演台３１を前にし説明用ボード３２を背にした講演者３３と、この講演者３３に対して、最前列の聴講者席の机３４の上に載置された記録装置１を示している。
【００５２】
この場合、記録装置１の使用者は、必ずしも記録装置１の傍に居る必要はなく、記録装置１の電源を入れて、タッチ式入力装置７から所望の記録条件を入力設定した後は、記録装置１から離れたところに居ても支障がない場合を示している。
【００５３】
このように、平らな机の上であれば、水平方向のいずれの向き（図７では講演者３３の方向）にもマイク１１（図１参照）を向けて安定して置くことができ、また、回動体部６の回動と撮像部４の回転により、上下いずれの角度をなす方向（図７では講演者３３の顔の方向）にも撮影レンズ窓１２（図２参照）を向けて、安定した状態で所望の音声と映像とを記録することができる。
【００５４】
図８は、記録装置１の更なる他の使用態様の例を示す図である。図８は、記録装置１を胸ポケット３５に入れた使用者３６が、応接テーブル３７を中に挟んで対談者３８と対談している。
【００５５】
使用者３６の胸ポケット３５には記録装置１の本体部２が入れられており、回動体部６は本体部２から引き起こされて胸ポケット３５の外に引き出されている。そして、回動体部６の端部に配置されている撮像部４の撮影レンズ窓１２が、図では定かに見えないが、対談者３８の方に向けられている。
【００５６】
このように、対談の際には、記録装置１を胸ポケット３５に入れて両手を空けたまま、相手の音声と顔等の映像を記録することができ、空いている両手で覚書等をメモに取ることができるので便利である。
【００５７】
このように、本発明の記録装置１は、本体部２を置く向きによって又はポケット等に入れて使用することにより、撮影範囲の変更が容易にできるの便利である。
また、折り畳んだときには撮像部が本体から突出することがないので、全体としての携帯性が向上する。
【００５８】
また、折り畳むと撮像部が自動的に収容部に収容されるので、撮像部のレンズ保護がバリア等なしで簡単にできるので使い勝手がよい。
撮像部を支持する回動体部が２本の棒状部材で両側から支持するので、３６０度の回転が可能であるにも拘わらず撮像部の支持が安定する。
【００５９】
また、回動体部の回動位置で撮影モード開始の指示を行うことができるので撮像部への操作が簡単になって便利である。
また、撮像終了指示が、回動体部を本体部に折り畳むという一動作で簡単にすませることができるので便利である。また、折り畳んだときには撮影ブロックの電源をオフにし、回動されると電源をオンにするので、効率の良い節電が可能になる。
【実施例２】
【００６０】
図９は、実施例２における記録装置の外観構成を示す斜視図である。実施例２は、撮像部の収納位置を本体部の中央から側面に変更した例である。尚、図９には図１及び図２に示した機能・構成と同一の機能・構成部分には、図１及び図２と同一の番号を付与して示している。
【００６１】
また、図９は、本体部２に対して回動体部６を折り畳んだ状態を実線で示し、本体部２に対して引き起こした回動体部６の状態を破線で示している。すなわち、回動体部６は、図の両方向矢印ｂで示すように本体部２に対して回動自在に構成されている。
【００６２】
本例の構成は、実線で示すように本体部２に対して回動体部６を折り畳んだとき、図１及び図２の場合よりも撮像部４の分だけ装置全体が縦長になる。
その代わり、本体部２の上面中央に凹状収納部１５（図２参照）を設ける必要がなく、また、本体部２に回動体部６を折り畳んだとき、図１に示したように撮像部４の半分強部分が本体部２の上面に凸状に出ることがないので、携帯時の収納性に優れている。
【実施例３】
【００６３】
図１０は、実施例３における記録装置の外観構成を示す斜視図である。実施例３は本体との回動軸を本体の中央部に設けた例である。尚、図１０も、１及び図２に示した機能・構成と同一の機能・構成部分には、図１及び図２と同一の番号を付与して示している。
【００６４】
また、図１０も、本体部２に対して回動体部６を折り畳んだ状態を実線で示し、本体部２に対して引き起こした回動体部６の状態を破線で示している。すなわち、回動体部６は、図の両方向矢印ｃで示すように本体部２に対して回動自在に構成されている。
【００６５】
本例の構成も、実線で示すように本体部２に対して回動体部６を折り畳んだとき、図１及び図２の場合よりも撮像部４の分だけ装置全体が縦長になる。
その代わり、回動体部６を本体部２から引き起こしたとき、図９の場合よりも、本体部２が短いので、短い分だけ安定感があり、また取り扱いも容易である。
【図面の簡単な説明】
【００６６】
【図１】実施例１における記録装置の外観構成を下中央に平面図で示し、平面図の左右と上にそれぞれの方向から平面図の記録装置を見た側面図を示し、最上部に平面図のＡ−Ａ′断面矢視図を示す図である。
【図２】記録装置の回動体部の回動状態を示す図であり、下に回動体部をほぼ全開した状態を平面図で示し、中央にその側面図、上に回動体部が直立位置に回動している状態の側面図を示す図である。
【図３】記録装置の内部システムブロック図である。
【図４】記録装置の使用態様の一例を示す図である。
【図５】記録装置の使用態様においてＣＰＵにより実行される制御処理のメインフローチャートである。
【図６】メインフローチャートにおける録音／撮影の処理を詳しく示すフローチャートである。
【図７】記録装置の他の使用態様の例を示す図（その１）である。
【図８】記録装置の他の使用態様の例を示す図（その２）である。
【図９】実施例２における記録装置の外観構成を示す斜視図である。
【図１０】実施例３における記録装置の外観構成を示す斜視図である。
【符号の説明】
【００６７】
１      記録装置
２      本体部
３      回動軸
４      撮像部
５      回転軸
６      回動体部
７      タッチ式入力装置
８      全面響体
９      ＬＣＤ（liquid crystal display：液晶表示装置）
１１    マイク
１２    撮影レンズ窓
１３    対物レンズ
１４    フラッシュ用ＬＥＤ
１５    凹状収納部
１６    撮像素子
１７    映像回路部
１８    ＣＰＵ(central processing unit）
１９    バス
２１    画像記録部
２２    音声記録部
２３    着脱メモリ
２４    アームセンサ
２５    電源部
２６    テーブル
２７    使用者
２８    対談者（又は説明者）
２９    説明用ボード
３１    演台
３２    説明用ボード
３３    講演者
３４    最前列の聴講者席の机
３５    胸ポケット
３６    使用者
３７    応接テーブル
３８    対談者
【図１】
2006270654.tif 000003
【図２】
2006270654.tif 000004
【図３】
2006270654.tif 000005
【図４】
2006270654.tif 000006
【図５】
2006270654.tif 000007
【図６】
2006270654.tif 000008
【図７】
2006270654.tif 000009
【図８】
2006270654.tif 000010
【図９】
2006270654.tif 000011
【図１０】
2006270654.tif 000012